(57)【特許請求の範囲】
【請求項１】
電子部品素子を保持したベースに封止材を介して蓋を接合し、電子部品素子を気密封止する電子部品の封止方法において、
ベースへの蓋の接合に、連続発振出力またはパルス発振出力によるビーム溶接方式を用い、
前記封止材を用いて前記ベースと前記蓋とを線状に接合するライン接合工程と、
前記封止材を用いて前記ベースと前記蓋とを点状に接合するドット接合工程と、を有し、
前記ライン接合工程は、不活性ガスによる雰囲気下において行い、
前記ドット接合工程は、真空雰囲気下において行い、
前記ライン接合工程の後に前記ドット接合工程を行うことを特徴とする電子部品の封止方法。
【発明の詳細な説明】
【技術分野】
【０００１】
本発明は、電子部品の封止方法に関する。
【背景技術】
【０００２】
電子部品は、その内部空間に搭載した電子部品素子の特性が劣化するのを防ぐために内部空間を気密封止する。この気密封止を必要とする電子部品として、例えば、圧電振動素子を内部空間に搭載した圧電振動デバイスなどが挙げられる。
【０００３】
ここでいう圧電振動デバイスに、例えば、水晶振動子、水晶フィルタ、水晶発振器等がある。この圧電振動デバイスは、水晶振動板や音叉型水晶振動片等の圧電振動素子をベースに収納（搭載）し、封止材（例えば、銀ろう等の金属ろう材）を用いて蓋をベースに封止材の溶融によって接合して圧電振動素子を気密封止し、圧電振動素子を外的環境から保護している（例えば、特許文献１参照）。
【０００４】
この特許文献１では、封止材を加熱することにより溶融してベースに蓋を接合する構成が開示され、具体的に、電子ビーム等を照射することにより熱を発生させ、その照射部分が接合されるビーム溶接方式を用いた封止方法が開示されている。
【０００５】
ところで、この特許文献１では、封止材の溶融時にガスが発生し、そのガスが内部空間に封じ込められることを防止するために、開口部周縁部の一部を除いて溶接（１次封止）を行った後に内部空間に滞留したガスの排気を行い、溶接によって封止材から発生するガスを内部空間外に排気し、その後に、未封止部分を溶接（２次封止）することで、内部空間の気密封止を行なっている。
【特許文献１】特開２０００−２２３６０４号公報
【発明の開示】
【発明が解決しようとする課題】
【０００６】
しかし、上記した特許文献１の従来技術では、２次封止時に発生する封止材のガスを内部空間から排気しきれずにガスを内部空間に残留させてしまう（閉じ込めてしまう）場合があり、このことが原因となり、圧電振動デバイスの良否にばらつきが生じる。
【０００７】
そこで、上記課題を解決するために、本発明は、内部空間に封止材のガスが残留するのを抑える電子部品の封止方法を提供することを目的とする。
【課題を解決するための手段】
【００１８】
上記の目的を達成するため、本発明にかかる電子部品の封止方法は、電子部品素子を保持したベースに封止材を介して蓋を接合し、電子部品素子を気密封止する電子部品の封止方法において、ベースへの蓋の接合に、連続発振出力またはパルス発振出力によるビーム溶接方式を用い、前記封止材を用いて前記ベースと前記蓋とを線状に接合するライン接合工程と、前記封止材を用いて前記ベースと前記蓋とを点状に接合するドット接合工程と、を有し、前記ライン接合工程は、不活性ガスによる雰囲気下において行い、前記ドット接合工程は、真空雰囲気下において行い、前記ライン接合工程の後に前記ドット接合工程を行うことを特徴とする。
【００１９】
本発明によれば、前記内部空間に前記封止材のガスが残留するのを抑えることが可能となる。具体的に、前記ライン接合工程と前記ドット接合工程により前記ベースと前記蓋との接合を行っているので、前記ライン接合工程により前記蓋と前記ベースとの接合強度を良好なものとするとともに、前記ドット接合工程によって前記封止材のガスの発生を抑えることが可能となり、その結果、前記ベースと前記蓋との接合強度を高めた状態で前記内部空間のガスの残留を抑えることが可能となる。また、前記ライン接合工程後に前記ドット接合工程を行うので、前記ライン接合工程時に発生した前記内部空間の前記封止材のガスを前記ドット接合工程前に排気することが可能となり、前記ライン接合工程と前記ドット接合工程との組合せにより、ライン接合工程だけによる前記ベースと前記蓋との接合と比較して、前記内部空間に前記封止材のガスが残留することはなく、さらにドット接合工程だけによる前記ベースと前記蓋との接合と比較して、前記蓋と前記ベースとの接合強度を高めることが可能となる。特に真空封止する電子部品において、前記封止材により前記ベースと前記蓋とを接合する際に発生する溶融ガスをどのようにして抑えるかが電子部品の特性向上のための重要なポイントとなり、上記した効果を有する本発明を電子部品に適用することで封止の信頼性を向上させることができる。また、本発明によれば、前記ベースへの前記蓋の接合に、連続発振出力またはパルス発振出力によるビーム溶接方式が用いられているので、前記ライン接合工程と前記ドット接合工程のいずれの接合工程にも同一の封止方式を適用することが可能となり、製造装置の簡略化を図ることが可能となる。また、本発明によれば、前記ライン接合では、不活性ガスによる雰囲気下において前記ベースと前記蓋との接合を行っているので、接合時に発生する溶融熱を逃がして本体筐体（例えば前記ベース）のクラックを防ぐことが可能となり、不活性ガスにより前記封止材から発生するガス（溶融ガス）が前記電子部品素子へ付着するのを抑制することが可能となる。さらに、前記ドット接合工程では、真空雰囲気下において前記ベースと前記蓋との接合を行っているので、前記内部空間のガスの排気および高真空化を好適に行うことが可能となる。また、前記ライン接合工程は、不活性ガスによる雰囲気下において行うので、レーザビームの直行性を犠牲にすることはなく、レーザビームによる前記封止材の溶融を安定して行うことが可能となる。
【発明の効果】
【００２４】
本発明によれば、内部空間に封止材のガスが残留するのを抑えることが可能となる。
【発明を実施するための最良の形態】
【００２５】
以下、本発明の実施の形態について図面を参照して説明する。なお、以下に示す実施例では、電子部品として圧電振動デバイスである音叉型水晶振動子に本発明を適用した場合を示す。
【００２６】
本実施例にかかる音叉型水晶振動子１（以下、水晶振動子という）では、図１〜３に示すように、フォトリソグラフィ法で成形された圧電振動素子である音叉型水晶振動片２（本発明でいう電子部品素子であり、以下、水晶振動片という）と、この水晶振動片２を保持するベース３と、ベース３に保持した水晶振動片２を気密封止するための蓋４と、が設けられている。
【００２７】
この水晶振動子１では、ベース３と蓋４とが接合されて本体筐体１１が構成されている。これらベース３と蓋４とが封止材５を介して接合され、この接合により本体筐体１１の内部空間１２が形成されている。そして、この本体筐体１１の内部空間１２のベース３上に導電性バンプ６を介して水晶振動片２が保持接合されているとともに、この水晶振動片２が搭載された本体筐体１１の内部空間１２が気密封止されている。この際、図１，２に示すように、ベース３と水晶振動片２とは導電性バンプ６を用いてＦＣＢ（Ｆｌｉｐ  Ｃｈｉｐ  Ｂｏｎｄｉｎｇ）法により超音波接合されるとともに電気的に接続されている（電気機械的に接合されている）。なお、封止材５として、金属材料のろう材が用いられ、本実施例では銀ろう材が用いられている。
【００２８】
また、本実施例では、本体筐体１１の寸法が２．０×１．２×０．５ｍｍに設定されている。なお、本実施例では本体筐体の寸法が２．０×１．２×０．５ｍｍに設定されているが、本体筐体１１の寸法が３．２×２．５×０．７５ｍｍ以下に設定された際に本発明の作用効果は顕著に表れる。これは、ベース３の接合部３３（下記参照）の幅（領域）が小さくなるにつれて、内部空間１２の容量に対する封止材５の溶融ガスの量の割合が増加することを考慮しなければいけないことに関係する。例えば本実施例の本体筐体１１の寸法と比較して大きい寸法からなる本体筐体（例えば、蓋の平面視寸法が５．０×３．２ｍｍ）では、内部空間１２の容量に対する２次封止時（上記従来技術参照）に発生する封止材５のガスの残留割合は少ないが、本実施例に示すような大きさの本体筐体１１（蓋４の平面視寸法が２．０×１．２ｍｍ程度）の場合、内部空間１２の容量に対する２次封止時（上記従来技術参照）に発生する封止材５のガスの残留割合が無視できないぐらい大きくなり、内部空間１２が特に真空状態となりこの真空雰囲気下で配された水晶振動片２の特性（例えばＣＩ値）の劣化を招く原因となる。しかしながら、本実施例に示すような水晶振動子１およびその封止方法によれば（下記参照）、本体筐体１１の寸法が小さくなった場合であっても、水晶振動片２の特性が劣化するのを抑制することができ、本体筐体１１の小型化に好適である。
【００２９】
次に、この水晶振動子１の各構成について説明する。
【００３０】
ベース３は、図１，２に示すように、底部３１と、この底部３１から上方に延出した堤部３２とから構成される箱状体に形成されている。
【００３１】
このベース３は、セラミック材料からなる平面視矩形状の一枚板上に、セラミック材料の直方体が積層して凹状に一体的に焼成されている。また、堤部３２は、図１，２に示す底部３１の表面外周に沿って成形されている。この堤部３２の上面は蓋４との接合部３３であり、この接合部３３には、蓋４と接合するためのメタライズ層（図示省略）が設けられている。また、接合部３３のメタライズ層は、例えば、タングステンメタライズ層、あるいはモリブデンメタライズ層上にニッケル層，金層の順でメッキした構成とからなる。なお、タングステンメタライズ層あるいはモリブデンメタライズ層を用いずにコバールリングを介在させ、このコバールリング上にニッケル層、金層の順でメッキ形成されてもよい。この場合、コバールリングがタングステンメタライズ層やモリブデンメタライズ層よりも延性に優れた特性のため、クラックを抑制するのに有効となる。また、本実施形態に示すように接合部３３全面にメタライズ層を形成しなくてもよく、若干狭い領域となってもよい。
【００３２】
接合部３３（堤部３２の上面）は、下記する封止工程（封止方法）により蓋４と接合する部分であり、接合部３３の長辺３４側のシールパス（幅）が０．０３〜０．３ｍｍに設定され、その短辺３５側のシールパス（幅）が０．０３〜０．３ｍｍに設定されている。
【００３３】
また、セラミック材料が積層して凹状に一体的に焼成されたベース３の内部空間１２の底面には、図１，２に示すように、電極パッド３６が形成され、これら電極パッド３６上に水晶振動片２が片保持して設けられる。これら電極パッド３６は、それぞれに対応した引回電極（図示省略）を介して、ベース３の裏面などの外周面に形成される端子電極（図示省略）に電気的に接続され、これら端子電極が外部部品や外部機器の外部電極に接続される。なお、これら電極パッド３６、引回電極、端子電極は、タングステンやモリブデン等のメタライズ材料を印刷した後にベース３と一体的に焼成して形成される。そして、これら電極パッド３６、引回電極、端子電極のうち一部のものについては、メタライズ上部にニッケルメッキが形成され、その上部に金メッキが形成されて構成される。
【００３４】
蓋４は、図２，３に示すように、平面視矩形状の一枚板に成形されている。この蓋４の下面には、ベース３との接合前に封止材５が設けられる。この蓋４は、ビーム溶接方式（本実施例では連続発振出力を用いたファイバーレーザによるレーザビーム溶接方式）により封止材５を介してベース３に接合されて、蓋４とベース３とによる水晶振動子１の本体筐体１１が構成される。なお、蓋４および封止材５は、例えば、４層の熱膨張係数の異なる金属材料から形成されている。具体的に、ベース３との接合面となる蓋４の下面側から、低融点材料である銀ろう材（封止材５）、銅層（もしくは銅合金層）、コバール層及びニッケル層が順に積層されて蓋４および封止材５が形成される。なお、本実施例では、封止材５が蓋４の下面全面に形成されている。なお、封止材５が蓋４の下面の外周縁に沿った環状層に形成されてもよい。
【００３５】
さらに、本体筐体１１におけるベース３と蓋４とを接合する領域（接合領域）は、下記する封止工程（封止方法）を用いてビーム溶接方式によってベース３と蓋４とが封止材５を介して線状に接合する（ライン接合）領域と、下記する封止工程（封止方法）を用いてビーム溶接方式によってベース３と蓋４とが点状に接合する（ドット接合）領域とから構成される。つまり、封止材５を介してベース３と蓋４との接合が、密状態のライン接合（図３に示す線状の照射痕７１参照）と、粗状態のドット接合（図３に示す点状の照射痕７２参照）とから構成される。本実施例では、ライン接合を行う領域（ライン接合領域）を一接合領域１３と予め設定し、一接合領域１３以外のドット接合を行う領域（ドット接合領域）を他接合領域１４と予め設定している。そして、一接合領域１３に対して他接合領域１４は小さく設定され、他接合領域１４は図１，３に示すように一方の短辺３５側の接合部３３の半分以下の領域に設定されている。なお、他接合領域１４は、短辺３５の長さ方向に対して０．１〜０．４ｍｍに設定され、本実施例では０．３ｍｍに設定されている。また、他接合領域１４におけるドット接合の点状の照射痕７２の径は、１００〜２００μｍに設定され、本実施例では１５０μｍ程度に設定されている。なお、このドット接合の点状の照射痕７２は図３に示すように隣接する照射痕７２と一部重なってもよいが、これは好適な例でありこれに限定されるものではなく、隣接する照射痕７２と接してもよい。
【００３６】
次に、内部空間１２に配された水晶振動片２の構成について説明する。
【００３７】
水晶振動片２は、図１，２に示すように、異方性材料の水晶片である水晶素板（図示省略）から、ウェットエッチング形成された水晶Ｚ板である。そのため、この水晶振動片２は量産に好適である。この水晶振動片２の基板２１は、振動部である２本の脚部２２と基部２３とから構成された外形からなり、２本の脚部２２が基部２３の一端部（具体的に一端面）から突出して形成されている。
【００３８】
基部２３は一組の脚部２２と略同様の幅寸法から設定されている。また、水晶振動片２の外形のうち側面２４は両主面２５に対して傾斜して成形されている。これは、水晶振動片２を湿式でエッチング成形する際に基板２１材料の結晶方向（Ｘ，Ｙ方向）へのエッチングスピードが異なることに起因している。
【００３９】
また、２つの脚部２２の両主面２５には、水晶振動片２の小型化により劣化する直列共振抵抗値（本実施例ではＣＩ値、以下同様）を改善させるために、凹部２６が形成されている。
【００４０】
この水晶振動片２の表面（両主面２５および側面２４）には、異電位で構成された２つの励振電極２７と、これらの励振電極２７を電極パッド３６に電気的に接続させるために励振電極２７から引き出された引出電極２８とが設けられている。なお、本実施例でいう引出電極２８は、２つの励振電極２７から引き出された電極パターンのことをいう。
【００４１】
また、２つの励振電極２７の一部は、凹部２６の内部に形成されている。このため、水晶振動片２を小型化しても脚部２２の振動損失が抑制され、ＣＩ値を低く抑えることができる。励振電極２７は、脚部２２の両主面２５と凹部２６に形成された主面電極と、脚部２２の両側面２４に形成された側面電極とにより構成され、これら主面電極と側面電極とが引き回されて図１に示すように接続されて、励振電極２７は引出電極２８に引き出されている。
【００４２】
上記した水晶振動片２の励振電極２７および引出電極２８は、例えば、クロムの下地電極層と、金の上部電極層とから構成された積層薄膜である。これらの薄膜は、真空蒸着法等の手法により全面に形成された後、フォトリソグラフィ法によりメタルエッチングして所望の形状に形成される。また、本実施例では励振電極２７の膜厚は０．１μｍ程度に設定されている。
【００４３】
上記した水晶振動片２の基部２３では、図１，２に示すように、導電性バンプ６を介した引出電極２８とベース３の電極パッド３６との電気機械的な接合が行われる。具体的に、水晶振動片２の引出電極２８と、ベース３の電極パッド３６とが、導電性バンプ６を介して接合されて、これら引出電極２８と電極パッド３６とが電気機械的に接続される。なお、本実施例で用いる導電性バンプ６は、金などの金属材料からなる接続バンプを用いている。
【００４４】
次に、ベース３に封止材５を介して蓋４を接合する水晶振動子１の封止工程（封止方法）について説明する。なお、本実施例の封止工程では、ベース３への蓋４の接合に、レーザビーム溶接方式を用いている（図３〜６参照）。
【００４５】
まず、ベース３に水晶振動片２を導電性バンプ６を介してＦＣＢ法により電気機械的に超音波接合して、ベース３に水晶振動片２を配する（搭載する）。また、蓋４に封止材５を設ける。
【００４６】
次に、封止材５を設けた蓋４を、トレイ（図示省略）上にマトリックス状に複数個配し、チャンバー（図示省略）内に配する。
【００４７】
そして、このチャンバー内に水晶振動片２を搭載した複数個のベース３を、トレイ上にマトリックス状に配された複数の蓋４それぞれに個別対向させて配する。この際、蓋４の封止材５にベース３の接合部３３が接した状態となる。
【００４８】
蓋４とベース３とをチャンバー内に配した後に、チャンバー内に不活性ガス（例えば窒素ガス）を注入してチャンバー内を不活性ガスの雰囲気下にする。
【００４９】
チャンバー内を不活性ガスの雰囲気下にした後に、レーザビーム溶接方式により、一接合領域１３においてベース３と蓋４とを封止材５を用いて線状に接合する（ライン接合工程）。
【００５０】
ライン接合工程後に、チャンバー内を真空雰囲気にする。なお、この際、ライン接合工程において発生し内部空間１２に滞留している封止材５のガスの排気を行う。
【００５１】
チャンバー内を真空雰囲気下にして内部空間１２に滞留している封止材５のガスの排気を行なった後に、他接合領域１４においてベース３と蓋４とを封止材５を用いて点状に接合する（ドット接合工程）。そして、ライン接合工程とドット接合工程とからなるベース３と蓋４との接合封止を終えて、内部空間１２を気密封止する。
【００５２】
ところで、上記したレーザビーム溶接方式によるベース３と蓋４との接合には、以下に示す２つの接合方法がある。
【００５３】
１つめの接合方法について、図３，４を参照して、レーザビームを発する発光部（図示省略）をベース３の平面視外周に沿って設けられた接合部３３上を反時計回りに走査しながら（図３の矢印方向参照）、一接合領域１３に対応する接合部３３の箇所を連続してレーザビーム溶接を行い（ライン接合工程）、その後に他接合領域１４に対応する接合部３３の箇所のみを間欠発振させてレーザビーム溶接を行う（ドット接合工程）。
【００５４】
この１つめの接合方法では、図３，４に示すように、レーザビームを発する発光部（図示省略）は、ベース３の平面視外周に沿って設けられた接合部３３上を反時計回りに２周走査し、１周目においてライン接合工程を行い、２周目においてドット接合工程を行う。
【００５５】
２つめの接合方法は、図５，６を参照して、レーザビームを発する発光部（図示省略）をベース３の平面視外周に沿って設けられた接合部３３上の長辺３４と短辺３５の各辺を走査しながら（図５の矢印方向参照）、接合部３３の各辺毎の一接合領域１３に対応する箇所ごとに連続してレーザビーム溶接を行い（ライン接合工程）、その後に他接合領域１４に対応する接合部３３の箇所のみを間欠発振させてレーザビーム溶接を行う（ドット接合工程）。
【００５６】
この２つめの接合方法では、図５，６に示すように、レーザビームを発する発光部（図示省略）は、ベース３の平面視外周に沿って設けられた接合部３３上の長辺３４、短辺３５、長辺３４、短辺３５の順に各辺ごとに走査し、この一連の走査を２周行い、１周目においてライン接合工程を行い、２周目においてドット接合工程を行う。また、各辺の走査移行時では、図５に示すような走査を行なって次の走査方向への方向転換をおこなってもよく、または、その位置（本体筐体１１の平面視角部）で発光部が停止して次の走査方向への方向転換を行なってもよい。
【００５７】
上記した本実施例にかかる水晶振動子１によれば、一接合領域１３においてビーム溶接方式によってベース３と蓋４とが封止材５を介して線状に接合するライン接合され、ライン接合後に、他接合領域１４においてビーム溶接方式によってベース３と蓋４とが点状に接合するドット接合される。また、本実施例にかかる水晶振動子１の封止方法によれば、ベース３への蓋４の接合にビーム溶接方式を用い、ライン接合工程とドット接合工程とを有し、ライン接合工程の後にドット接合工程を行う。このような構成や方法からなる本実施例によれば、内部空間１２に封止材５のガスが残留するのを抑えることができる。
【００５８】
具体的に、本実施例によれば、ライン接合工程によるライン接合とドット接合工程によるドット接合によりベース３と蓋４との接合を行っているので、ライン接合工程によるライン接合により蓋４とベース３との接合強度を良好なものとするとともに、ドット接合工程によるドット接合によって封止材５のガスの発生を抑えることができる。その結果、ベース３と蓋４との接合強度を高めた状態で内部空間１２のガスの残留を抑えることができる。また、ライン接合工程によるライン接合後にドット接合工程によるドット接合が行われるので、ライン接合時に発生した内部空間１２の封止材５のガスをドット接合前に排気することができ、ライン接合工程によるライン接合とドット接合工程によるドット接合との組合せにより、ライン接合だけによるベース３と蓋４との接合と比較して、内部空間１２に封止材５のガスが残留することはなく、さらにドット接合だけによるベース３と蓋４との接合と比較して、蓋４とベース３との接合強度を高めることができる。特に真空封止する水晶振動子１において、封止材５によりベース３と蓋４とを接合する際に発生するガス（溶融ガス）をどのようにして抑えるかが水晶振動子１の特性向上のための重要なポイントとなり、本実施例によれば封止の信頼性を向上させることができる。
【００５９】
また、封止材５を介したベース３と蓋４の接合には、ビーム溶接方式を用いるので、ライン接合工程によるライン接合とドット接合工程によるドット接合のいずれの接合工程による接合にも同一の封止方式を適用することができ、製造装置の簡略化を図ることができる。
【００６０】
また、一接合領域１３の領域に対して他接合領域１４の領域は小さいので、ライン接合によって蓋４とベース３との接合強度を高めるとともに、ドット接合によって封止材５のガスの発生を抑えるのに好適である。
【００６１】
また、他接合領域１４におけるドット接合の点状の照射痕７２の径は、１００〜２００μｍ（本実施例では１５０μｍ程度）であるので、当該水晶振動子１における封止領域（一接合領域１３と他接合領域１４）を縮小するのに有効であり、当該水晶振動子１の小型化を図ることができる。
【００６２】
また、電子部品素子は水晶振動片２であるので、その特性は熱影響を受け易いが、本実施例では高温によるベース３と蓋４との接合を必要としないので、熱影響を受け難い。
【００６３】
また、レーザビーム溶接方式を用いて、ライン接合では、不活性ガスによる雰囲気下においてベース３と蓋４との接合を行っているので、接合時に発生する溶融熱を逃がして本体筐体１１（例えばベース３）のクラックを防ぐことができ、不活性ガスにより封止材５から発生するガス（溶融ガス）が水晶振動片２へ付着するのを抑制することができる。さらに、ドット接合工程では、真空雰囲気下においてベース３と蓋４との接合を行っているので、内部空間１２のガスの排気および高真空化を好適に行うことができる。また、ライン接合工程は、不活性ガスによる雰囲気下において行うので、レーザビームの直行性を犠牲にすることはなく、レーザビームによる封止材５の溶融を安定して行うことができる。
【００６４】
なお、本実施例では、電子部品として音叉型水晶振動子１を適用した場合を示すが、これに限定されるものではなく、ベースと蓋とが封止材を介して接合され、内部空間に配された（搭載された）電子部品素子が気密封止されている電子部品であれば他の形態であってもよい。例えば、本実施例とは異なる他の圧電振動デバイスである、ＡＴカット水晶振動子を搭載した水晶振動子や、ＡＴカット水晶振動片およびＩＣチップを搭載した発振器などであってもよい。
【００６５】
また、本実施例では、水晶振動片２の脚部２２を２つとしているが、これに限定されるものではなく、３つ以上であってもよい。
【００６６】
また、本実施例では、導電性バンプ６を２つとしているが、これに限定されるものではなく、３つ以上であってもよい。さらに導電性バンプ６としてメッキ状のものを用いてもよく、また導電性バンプに限らず導電性樹脂接着剤やはんだなどの導電性接合材を用いてもよい。
【００６７】
また、本実施例では、図１に示すような形状の水晶振動片２を採用しているが、これに限定されるものではなく、他の形状の水晶振動片２であってもよい。
【００６８】
また、本実施例でいう水晶振動片２の凹部２６は、図１に示すような断面凹形状としているが、これに限定されるものではなく、貫通部であってもよく、窪み部であってもよい。
【００６９】
また、本実施例では、水晶振動片２の脚部２２に凹部２６を形成しているが、これは好適な例でありこれに限定されるものではなく、脚部２２に凹部が形成されていない水晶振動片２にも本発明を適用することができる。
【００７０】
また、本実施例では、ビーム溶接方式にレーザビーム溶接方式を用いているが、これは好適な例でありこれに限定されるものではなく、任意のビーム溶接方式（例えば、電子ビームによる溶接方式）を用いてもよい。
【００７１】
また、本実施例では、レーザビーム溶接方式にファイバーレーザを用いているが、これは好適な例であり、ＹＡＧレーザなどの固体レーザであってもよい。また、連続発振出力のものに限定されるものではなく、パルス発振出力のものであってもよい。
【００７３】
また、本実施例では、水晶振動片２の励振電極２７、及び引出電極２８がクロム，金の順に形成されているが、例えば、クロム，金，クロムの順や、クロム，銀の順や，クロム，銀，クロムの順等であってもよい。また、上記した下地電極層をニッケルに変えてもよく、例えば、ニッケル，金，クロムの順、ニッケル，銀，クロムの順であってもよい。
【００７４】
また、本実施例では、堤部３２の上面全てに封止材５が設けられているが、これに限定されるものではなく、ベース３と蓋４とを接合できれば、堤部３２の上面の一部が露出してもよい。
【００７５】
また、本実施例では、堤部３２の上面全面にメタライズ層が設けられているが、これに限定されるものではなく、堤部３２の上面の所望領域のみにメタライズ層が設けられてもよい。
【００７６】
なお、本発明は、その精神や主旨または主要な特徴から逸脱することなく、他のいろいろな形で実施することができる。そのため、上述の実施例はあらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。
【産業上の利用可能性】
【００７７】
本発明は、電子部品素子を気密封止する電子部品に適用でき、特に、電子部品素子に圧電振動素子を用いた圧電振動デバイスに好適である。
【図面の簡単な説明】
【００７８】
【図１】図１は、本実施例にかかる水晶振動子の概略構成図であり、図２に示すＡ−Ａ線概略断面図である。
【図２】図２は、本実施例にかかる水晶振動子の内部空間の構成を公開した概略側面図である。
【図３】図３は、本実施例にかかる水晶振動子の概略平面図であり、本実施例にかかる１つめの封止方法を示した図である。
【図４】図４は、本実施例にかかる１つめの封止方法のタイミングチャートを示した図である。
【図５】図５は、本実施例にかかる水晶振動子の概略平面図であり、本実施例にかかる２つめの封止方法を示した図である。
【図６】図６は、本実施例にかかる２つめの封止方法のタイミングチャートを示した図である。
【符号の説明】
【００７９】
１  音叉型水晶振動子
１１  本体筐体
１２  内部空間
１３  一接合領域
１４  他接合領域
２  音叉型水晶振動片
３  ベース
４  蓋
５  封止材
７１，７２  照射痕
【図１】
0004893578.tif 000002
【図２】
0004893578.tif 000003
【図３】
0004893578.tif 000004
【図４】
0004893578.tif 000005
【図５】
0004893578.tif 000006
【図６】
0004893578.tif 000007